(57)【要約】      （修正有）【課題】記録媒体の種類に応じて吐出されるインク液滴を適切なサイズに制御することができるインクジェット記録装置制御プログラムおよびインクジェット記録装置を提供する。【解決手段】印刷用紙が普通紙の場合は、小ドットは、３ｐｌ、中ドットは、５ｐｌ、大ドットは、１０ｐｌとし、印刷用紙が光沢紙の場合は、小ドットは１．５ｐｌ、中ドットは、３ｐｌ、大ドットは、１０ｐｌとするように記憶されている。このテーブルが示すように、大ドットについては、印刷用紙が普通紙または光沢紙のいずれであっても同じ１０ｐｌとし、中ドットおよび小ドットについては、普通紙を用いる場合には、液滴サイズを、光沢紙を用いる場合に比べて大きく設定している。【選択図】図６
2007203683.tif 000002
【特許請求の範囲】
【請求項１】
インクを吐出するインク吐出口と、そのインク吐出口から吐出させるインクの液滴サイズを制御する液滴サイズ制御手段とを備え、前記インク吐出口からインクを記録媒体に吐出することにより印刷を行うインクジェット記録装置を制御するインクジェット記録装置制御プログラムにおいて、
記録媒体の種類を設定する記録媒体種類設定ステップと、
前記記録媒体種類設定ステップにより設定された記録媒体の種類に応じて前記液滴サイズ制御手段により制御されるインクの液滴サイズを設定する液滴サイズ設定ステップとを備えていることを特徴とするインクジェット記録装置制御プログラム。
【請求項２】
前記液滴サイズ設定ステップは、前記記録媒体種類設定ステップにより設定された記録媒体の厚さに応じて吐出させるインクの液滴サイズを制御することを特徴とする請求項１記載のインクジェット記録装置制御プログラム。
【請求項３】
前記液滴サイズ設定ステップは、前記記録媒体種類設定ステップにより設定された記録媒体の種類に応じて、選択可能な複数の液滴サイズのうち、小さい液滴サイズを選択しないように設定することを特徴とする請求項１または２記載のインクジェット記録装置制御プログラム。
【請求項４】
前記液滴サイズ設定ステップは、前記記録媒体種類設定ステップにより設定された記録媒体の種類に応じて、記録媒体の種類に対応して液滴サイズが記憶された液滴サイズ記憶手段から液滴サイズを読出すことにより液滴サイズを設定することを特徴とする請求項１または２記載のインクジェット記録装置制御プログラム。
【請求項５】
インクジェット記録装置は、前記インク吐出口とそのインク吐出口に対向して配置されるプラテンとの間隔を設定するギャップ設定手段を備え、
前記液滴サイズ設定ステップは、前記ギャップ設定手段により設定された前記インク吐出口とそのインク吐出口に対向して配置されるプラテンとの間隔と、前記記録媒体種類設定ステップにより設定された記録媒体の種類とに応じて液滴サイズを設定することを特徴とする請求項１から４のいずれかに記載のインクジェット記録装置制御プログラム。
【請求項６】
インクを吐出するインク吐出口と、そのインク吐出口から吐出させるインクの液滴サイズを制御する液滴サイズ制御手段とを備え、前記インク吐出口からインクを記録媒体に吐出することにより印刷を行うインクジェット記録装置において、
記録媒体の種類を設定する記録媒体種類設定手段と、
前記記録媒体種類設定手段により設定された記録媒体の種類に応じて前記液滴サイズ制御手段により制御されるインクの液滴サイズを設定する液滴サイズ設定手段とを備えていることを特徴とするインクジェット記録装置。
【請求項７】
前記液滴サイズ設定手段は、前記記録媒体種類設定手段により設定された記録媒体の厚さに応じて吐出させるインクの液滴サイズを制御することを特徴とする請求項６記載のインクジェット記録装置。
【請求項８】
前記液滴サイズ設定手段は、前記記録媒体種類設定手段により設定された記録媒体の種類に応じて、選択可能な複数の液滴サイズのうち、小さい液滴サイズを選択しないように設定することを特徴とする請求項６または７記載のインクジェット記録装置。
【請求項９】
記録媒体の種類に対応して液滴サイズが記憶された液滴サイズ記憶手段を備え、
前記液滴サイズ設定手段は、前記記録媒体種類設定手段により設定された記録媒体の種類に応じて前記液滴サイズ記憶手段から液滴サイズを読出すことにより液滴サイズを設定することを特徴とする請求項６または７記載のインクジェット記録装置。
【請求項１０】
前記インク吐出口とそのインク吐出口に対向して配置されるプラテンとの間隔を設定するギャップ設定手段を備え、
前記液滴サイズ設定手段は、前記ギャップ設定手段により設定された前記インク吐出口とそのインク吐出口に対向して配置されるプラテンとの間隔と、前記記録媒体種類設定ステップにより設定された記録媒体の種類とに応じて液滴サイズを設定することを特徴とする請求項６から９のいずれかに記載のインクジェット記録装置。
【発明の詳細な説明】
【技術分野】
【０００１】
本発明は、インクジェット記録装置制御プログラムおよびインクジェット記録装置に関し、特に、吐出されるインク液滴を適切なサイズに制御することができるインクジェット記録装置制御プログラムおよびインクジェット記録装置に関する。
【背景技術】
【０００２】
従来より、インクを吐出するヘッドを主走査方向に往復移動させながら記録媒体に向けてインクを吐出させる記録動作と、記録媒体を副走査方向に搬送する搬送動作とを繰り返すことで記録媒体に画像を形成するインクジェットプリンタが知られている。
【０００３】
ヘッドには、記録媒体を搬送する方向に複数のインクを吐出する吐出口を備え、これらの吐出口からインクを記録媒体へ向けて吐出するように形成されている。
【０００４】
このヘッドと、ヘッドに対向する記録媒体の表面との間隔を一定に保つことにより記録媒体が所定の速度で移動しているために発生するインク滴の着滴点が異なることを防止するインジェット記録装置が、特開２００３−７２０５５号公報（特許文献１）に開示されている。
【０００５】
また、ヘッドとプラテンとの間隔を変更可能な場合に、その間隔を認識し、インク液滴を吐出するタイミングを変更するなどの処理を行うことにより、良好な画像を得ることができるインクジェット記録装置が、特開２００２−９６５２８号公報（特許文献２）に開示されている。
【特許文献１】特開２００３−７２０５５号公報
【特許文献２】特開２００２−９６５２８号公報
【発明の開示】
【発明が解決しようとする課題】
【０００６】
しかしながら、特許文献１に開示された発明は、ヘッドとヘッドに対向する記録媒体の表面との間隔を一定に保つための機構が複雑になり、装置が高価になるという問題点があった。また、記録媒体を普通紙とした場合は、インクが付着すると紙が膨潤し表面が凸凹状になるコックリングが発生しやすいため、ヘッドに普通紙が接触し、画像のインク汚れやヘッドの損傷を起こすという欠点があった。
【０００７】
また、特許文献２に開示された発明では、ユーザが自由にヘッドギャップを調整することができるが、ヘッドギャップが大きい場合は、インク吐出口から吐出されたインクが小さいと、インクがミストとなったり、インクが浮遊して着滴点が定まらないという問題点があった。インクヘッドは、主走査方向へ往復運動し、記録媒体は、副走査方向へ移動されるため、ヘッドと記録媒体との間に存在する空気は、複雑な動きをする。近年、画像を良好にするために、１ｐｌ（ピコリットル）程度の小さい液滴が吐出されるようになり、空気の流れによって浮遊する場合があった。
【０００８】
図８は、ヘッドとプラテンの上に設置された普通紙との位置関係を示す模式図であり、ここでは、ヘッドが紙面左方から右方へ移動しながらインクを吐出した場合を示している。吐出されるインクの液滴量が大きい場合は、ｂで示すような軌跡で印刷面に着滴するが、液滴量が小さい場合は、ヘッドが往復運動したり、印刷用紙が移動することによりヘッドの周囲に複雑な空気の動きにより、吐出されたインクはａまたはｃで示すような軌跡を描いて着滴し、着滴点が一定しない場合がある。
【０００９】
本発明は、上記問題点を解決するためになされたものであり、記録媒体の種類に応じて吐出されるインク液滴を適切なサイズに制御することができるインクジェット記録装置制御プログラムおよびインクジェット記録装置を提供することを目的としている。
【課題を解決するための手段】
【００１０】
この目的を達成するために、本発明の請求項１記載のインクジェット記録装置制御プログラムは、インクを吐出するインク吐出口と、そのインク吐出口から吐出させるインクの液滴サイズを制御する液滴サイズ制御手段とを備え、前記インク吐出口からインクを記録媒体に吐出することにより印刷を行うインクジェット記録装置を制御するものであり、記録媒体の種類を設定する記録媒体種類設定ステップと、前記記録媒体種類設定ステップにより設定された記録媒体の種類に応じて前記液滴サイズ制御手段により制御されるインクの液滴サイズを設定する液滴サイズ設定ステップとを備えている。
【００１１】
請求項２記載のインクジェット記録装置制御プログラムは、請求項１記載のインクジェット記録装置制御プログラムにおいて、前記液滴サイズ設定ステップは、前記記録媒体種類設定ステップにより設定された記録媒体の厚さに応じて吐出させるインクの液滴サイズを制御する。
【００１２】
請求項３記載のインクジェット記録装置制御プログラムは、請求項１または２記載のインクジェット記録装置制御プログラムにおいて、前記液滴サイズ設定ステップは、前記記録媒体種類設定ステップにより設定された記録媒体の種類に応じて、選択可能な複数の液滴サイズのうち、小さい液滴サイズを選択しないように設定する。
【００１３】
請求項４記載のインクジェット記録装置制御プログラムは、請求項１または２記載のインクジェット記録装置制御プログラムにおいて、前記液滴サイズ設定ステップは、前記記録媒体種類設定ステップにより設定された記録媒体の種類に応じて、記録媒体の種類に対応して液滴サイズが記憶された液滴サイズ記憶手段から液滴サイズを読出すことにより液滴サイズを設定する。
【００１４】
請求項５記載のインクジェット記録装置制御プログラムは、請求項１から４のいずれかに記載のインクジェット記録装置制御プログラムにおいて、インクジェット記録装置は、前記インク吐出口とそのインク吐出口に対向して配置されるプラテンとの間隔を設定するギャップ設定手段を備え、前記液滴サイズ設定ステップは、前記ギャップ設定手段により設定された前記インク吐出口とそのインク吐出口に対向して配置されるプラテンとの間隔と、前記記録媒体種類設定ステップにより設定された記録媒体の種類とに応じて液滴サイズを設定する。
【００１５】
請求項６記載のインクジェット記録装置は、インクを吐出するインク吐出口と、そのインク吐出口から吐出させるインクの液滴サイズを制御する液滴サイズ制御手段とを備え、前記インク吐出口からインクを記録媒体に吐出することにより印刷を行ものであり、記録媒体の種類を設定する記録媒体種類設定手段と、前記記録媒体種類設定手段により設定された記録媒体の種類に応じて前記液滴サイズ制御手段により制御されるインクの液滴サイズを設定する液滴サイズ設定手段とを備えている。
【００１６】
請求項７記載のインクジェット記録装置は、請求項６記載のインクジェット記録装置において、前記液滴サイズ設定手段は、前記記録媒体種類設定手段により設定された記録媒体の厚さに応じて吐出させるインクの液滴サイズを制御する。
【００１７】
請求項８記載のインクジェット記録装置は、請求項６または７記載のインクジェット記録装置において、前記液滴サイズ設定手段は、前記記録媒体種類設定手段により設定された記録媒体の種類に応じて、選択可能な複数の液滴サイズのうち、小さい液滴サイズを選択しないように設定する。
【００１８】
請求項９記載のインクジェット記録装置は、請求項６または７記載のインクジェット記録装置において、記録媒体の種類に対応して液滴サイズが記憶された液滴サイズ記憶手段を備え、前記液滴サイズ設定手段は、前記記録媒体種類設定手段により設定された記録媒体の種類に応じて前記液滴サイズ記憶手段から液滴サイズを読出すことにより液滴サイズを設定する。
【００１９】
請求項１０記載のインクジェット記録装置は、請求項６から９のいずれかに記載のインクジェット記録装置において、前記インク吐出口とそのインク吐出口に対向して配置されるプラテンとの間隔を設定するギャップ設定手段を備え、前記液滴サイズ設定手段は、前記ギャップ設定手段により設定された前記インク吐出口とそのインク吐出口に対向して配置されるプラテンとの間隔と、前記記録媒体種類設定ステップにより設定された記録媒体の種類とに応じて液滴サイズを設定する。
【発明の効果】
【００２０】
請求項１記載のインクジェット記録装置制御プログラムによれば、記録媒体の種類を設定する記録媒体種類設定ステップと、記録媒体種類設定ステップにより設定された記録媒体の種類に応じて前記液滴サイズ制御手段により制御されるインクの液滴サイズを設定する液滴サイズ設定ステップとを備えているので、吐出口から吐出されるインクの液滴サイズを記録媒体の種類に応じた適切な液滴サイズに設定することができる。よって、記録媒体の種類によりインク吐出口と記録媒体の表面との間隔が大きい場合や、記録媒体にコックリングが発生するような場合に、インク液滴を大きくすることにより、インク液滴が着滴する着滴点を一定に保持することができ、着滴点がずれることにより発生する画像のゆがみの発生を防止し、鮮明な高画質の印刷を行うことができるという効果がある。
【００２１】
請求項２記載のインクジェット記録装置制御プログラムによれば、請求項１記載のインクジェット記録装置制御プログラムの奏する効果に加え、液滴サイズ設定ステップは、記録媒体種類設定ステップにより設定された記録媒体の厚さに応じて吐出させるインクの液滴サイズを制御するので、記録媒体の厚さに応じてインクの吐出口と記録媒体の表面との間隔が変わっても、その間隔に応じた液滴サイズに設定することができる。よって、着滴点がずれることにより発生する画像のゆがみの発生を防止し、鮮明な高画質の印刷を行うことができるという効果がある。
【００２２】
請求項３記載のインクジェット記録装置制御プログラムによれば、請求項１または２記載のインクジェット記録装置制御プログラムの奏する効果に加え、液滴サイズ設定ステップは、記録媒体種類設定ステップにより設定された記録媒体の種類に応じて、選択可能な複数の液滴サイズのうち、小さい液滴サイズを選択しないように設定するので、吐出口から吐出されるインクの液滴サイズが記録媒体の種類に応じて、小さい液滴サイズに設定されないようにすることができる。よって、記録媒体の種類によりインク吐出口と記録媒体の表面との間隔が大きい場合や、記録媒体にコックリングが発生するような場合に、インク液滴が小さくなることを防止し、インク液滴が着滴する着滴点を一定に保持することができ、着滴点がずれることにより発生する画像のゆがみの発生を防止することができる。したがって、鮮明な高画質の印刷を行うことができるという効果がある。
【００２３】
請求項４記載のインクジェット記録装置制御プログラムによれば、請求項１または２記載のインクジェット記録装置制御プログラムの奏する効果に加え、液滴サイズ設定ステップは、記録媒体種類設定ステップにより設定された記録媒体の種類に応じて、記録媒体の種類に対応して液滴サイズが記憶された液滴サイズ記憶手段から液滴サイズを読出すことにより液滴サイズを設定するので、簡単な処理により吐出口から吐出させる液滴を記録媒体の種類に応じた液滴サイズに設定することができるという効果がある。
【００２４】
請求項５記載のインクジェット記録装置制御プログラムによれば、請求項１から４のいずれかに記載のインクジェット記録装置制御プログラムの奏する効果に加え、インクジェット記録装置は、インク吐出口とそのインク吐出口に対向して配置されるプラテンとの間隔を設定するギャップ設定手段を備え、液滴サイズ設定ステップは、ギャップ設定手段により設定されたインク吐出口とそのインク吐出口に対向して配置されるプラテンとの間隔と、記録媒体種類設定ステップにより設定された記録媒体の種類とに応じて液滴サイズを設定するので、吐出口と記録媒体が設置される面との間隔を調整することができる装置において、吐出口から吐出されるインクの液滴サイズを吐出口と記録媒体が設置される面との間隔と、記録媒体の種類とに応じた適切な液滴サイズに設定することができる。よって、記録媒体の種類によりインク吐出口と記録媒体の表面との間隔が大きい場合や、記録媒体にコックリングが発生するような場合にインク液滴のサイズを大きくすることにより、インク液滴が着滴する着滴点を一定に保持することができ、着滴点がずれることにより発生する画像のゆがみの発生を防止し、鮮明な高画質の印刷を行うことができるという効果がある。
【００２５】
請求項６記載のインクジェット記録装置によれば、記録媒体の種類を設定する記録媒体種類設定手段と、記録媒体種類設定手段により設定された記録媒体の種類に応じて液滴サイズ制御手段により制御されるインクの液滴サイズを設定する液滴サイズ設定手段とを備えているので、吐出口から吐出されるインクの液滴サイズを記録媒体の種類に応じた適切な液滴サイズに設定することができる。よって、記録媒体の種類によりインク吐出口と記録媒体の表面との間隔が大きい場合や、記録媒体にコックリングが発生するような場合に、インク液滴を大きくすることにより、インク液滴が着滴する着滴点を一定に保持することができ、着滴点がずれることにより発生する画像のゆがみの発生を防止し、鮮明な高画質の印刷を行うことができるという効果がある。
【００２６】
請求項７記載のインクジェット記録装置によれば、請求項６記載のインクジェット記録装置の奏する効果に加え、液滴サイズ設定手段は、記録媒体種類設定手段により設定された記録媒体の厚さに応じて吐出させるインクの液滴サイズを制御するので、記録媒体の厚さに応じてインクの吐出口と記録媒体の表面との間隔が変わっても、その間隔に応じた液滴サイズに設定することができる。よって、着滴点がずれることにより発生する画像のゆがみの発生を防止し、鮮明な高画質の印刷を行うことができるという効果がある。
【００２７】
請求項８記載のインクジェット記録装置によれば、請求項６または７記載のインクジェット記録装置の奏する効果に加え、液滴サイズ設定手段は、記録媒体種類設定手段により設定された記録媒体の種類に応じて、選択可能な複数の液滴サイズのうち、小さい液滴サイズを選択しないように設定するので、吐出口から吐出されるインクの液滴サイズが録媒体の種類に応じて、小さい液滴サイズに設定されないようにすることができる。よって、記録媒体の種類によりインク吐出口と記録媒体の表面との間隔が大きい場合や、記録媒体にコックリングが発生するような場合に、インク液滴が小さくなることを防止し、インク液滴が着滴する着滴点を一定に保持することができ、着滴点がずれることにより発生する画像のゆがみの発生を防止することができる。したがって、鮮明な高画質の印刷を行うことができるという効果がある。
【００２８】
請求項９記載のインクジェット記録装置によれば、請求項６または７記載のインクジェット記録装置の奏する効果に加え、記録媒体の種類に対応して液滴サイズが記憶された液滴サイズ記憶手段を備え、液滴サイズ設定手段は、記録媒体種類設定手段により設定された記録媒体の種類に応じて液滴サイズ記憶手段から液滴サイズを読出すことにより液滴サイズを設定するので、簡単な処理により吐出口から吐出させる液滴を記録媒体の種類に応じた液滴サイズに設定することができるという効果がある。
【００２９】
請求項１０記載のインクジェット記録装置によれば、請求項６から９のいずれかに記載のインクジェット記録装置の奏する効果に加え、インク吐出口とそのインク吐出口に対向して配置されるプラテンとの間隔を設定するギャップ設定手段を備え、液滴サイズ設定手段は、ギャップ設定手段により設定されたインク吐出口とそのインク吐出口に対向して配置されるプラテンとの間隔と、記録媒体種類設定ステップにより設定された記録媒体の種類とに応じて液滴サイズを設定するので、吐出口と記録媒体が設置される面との間隔を調整することができる装置において、吐出口から吐出されるインクの液滴サイズを吐出口と記録媒体が設置される面との間隔と、記録媒体の種類とに応じた適切な液滴サイズに設定することができる。よって、記録媒体の種類によりインク吐出口と記録媒体の表面との間隔が大きい場合や、記録媒体にコックリングが発生するような場合にインク液滴のサイズを大きくすることにより、インク液滴が着滴する着滴点を一定に保持することができ、着滴点がずれることにより発生する画像のゆがみの発生を防止し、鮮明な高画質の印刷を行うことができるという効果がある。
【発明を実施するための最良の形態】
【００３０】
以下、本発明の好ましい実施形態について添付図面を参照して説明する。図１は、本発明のインクジェット記録装置制御プログラムが実行される画像処理装置として機能するパーソナルコンピュータ（以下単に「ＰＣ」と略す）１０と、このＰＣ１０に接続されたプリンタ２０との電気的構成を示すブロック図である。
【００３１】
ＰＣ１０は、ＣＰＵ１１と、ＲＯＭ１２と、ＲＡＭ１３と、ハードディスクドライブ（以下「ＨＤＤ」と称す）１４と、操作部１５と、表示装置であるＬＣＤ（液晶ディスプレイ）１６と、プリンタ用インターフェース（以下「Ｉ／Ｆ」と称す）１７とを有し、これらは、バス１８により相互に接続されている。
【００３２】
ＣＰＵ１１は、演算装置であり、ＲＯＭ１２やＲＡＭ１３やＨＤＤ１４に記憶されるプログラムを実行するものである。ＲＯＭ１２は、ブートプログラムなどの基本プログラムを記憶する読み出し専用なメモリである。
【００３３】
ＲＡＭ１３は、書換可能なメモリであり、ＣＰＵ１１で実行される処理において一時的に記憶する必要があるデータなどを記憶したり、ＨＤＤ１４に記憶される各種アプリケーションプログラムや、プリンタドライバが実行される際には、これらのプログラムがこのＲＡＭ１３に転送されて実行される。
【００３４】
ＨＤＤ１４は、ＰＣ１０で実行されるオペレーティングシステムを記憶するＯＳメモリ１４ａや、プリンタドライバがハーフトーン処理を実行する際に参照する液滴量テーブルを記憶する液滴量テーブルメモリ１４ｂやプリンタドライバを記憶するプリンタドライバメモリ１４ｃや画像データを記憶する画像データメモリ１４ｄを有する書換可能なメモリである。
【００３５】
次に図２を参照してプリンタドライバでの処理において設定する種々の項目について説明する。図２は、プリンタドライバを実行する際に、印刷プロパティの設定を選択した際にＬＣＤ１６に表示されるプロパティ設定画面２８である。
【００３６】
プロパティ設定画面２８には、印刷を行う記録媒体である印刷用紙を選択設定する用紙種類選択ボックス２８ａと、印刷用紙のサイズを選択設定する用紙サイズ設定ボックス２８ｂと、印刷面のレイアウトを設定するレイアウト設定ボックス２８ｃと、印刷を行う部数を設定する部数設定ボックス２８ｄなどが表示される。
【００３７】
用紙種類選択ボックス２８ａは、選択された用紙種類を表示する表示エリアと、そのエリアの右端に下方に向いた三角形が描かれたアイコンとを有し、このアイコンにマウスを操作してカーソル合わせ、クリックすると図３に示すようにプルダウンメニューが表示される。つぎに表示されたプルダウンメニューのいずれかの項目にカーソルを移動すると、そのカーソルにより示される項目が選択される。
【００３８】
この実施形態では、印刷用紙の種類として、普通紙、光沢紙いずれかを選択することができる。これらの用紙種類のいずれかが選択される。同様に、用紙サイズ設定ボックス２８ｂは、選択された用紙のサイズを表示するエリアと、選択を行うためのプルダウンメニューの表示を指示するアイコンとを有し、用紙のサイズとしては、Ａ４，Ｂ５，ハガキ、封筒などの中から選択することができる。
【００３９】
解像度設定ボックス２８ｃも同様に、選択された解像度を表示するエリアと、選択を行うためのプルダウンメニューの表示を指示するアイコンとを有し、解像度としては、高解像度、低解像度のいずれかを選択することができる。高解像度は、例えば１２００×１２００ｄｐｉ、低解像度は、６００×６００ｄｐｉであり、解像度に応じて設定される液滴のサイズが異なる。
【００４０】
印刷部数設定ボックスは、設定された部数を数値で表示するエリアからなり、そのエリアの右側に、数値を増加させるための上向きの三角形を表示したインクリメントアイコンと、数値を減少させるための下向きの三角形を表示したデクリメントアイコンを備え、これらのアイコンにカーソルを移動してマウスを操作することにより、印刷部数を設定することができる。なお、テンキーなどで直接印刷部数を入力することも可能である。
【００４１】
次に、図３を参照してヘッドと記録用紙の表面との間隔について説明する。図３は、ヘッドの位置と記録用紙を設置するプラテンとの距離が一定である記録装置の場合を示す。図３（ａ）が示すように、印刷用紙として普通紙が選択された場合は、プラテンの上面とヘッドの下面との間隔をＧとし、プラテンの上面に普通紙が設置されると普通紙の上面（印刷面）とヘッドとの間隔は、距離Ｇから普通紙の厚さを引いた値Ａである。
【００４２】
また、図３（ｂ）が示すように、印刷用紙として光沢紙が選択された場合は、プラテンの上面に光沢紙が設置されると光沢紙の上面（印刷面）とヘッドとの間隔は、距離Ｇから光沢紙の厚さを引いた値Ｂである。
【００４３】
通常、普通紙の厚さは、９０μ（ミクロン）程度であり、光沢紙の厚さは２２５μであるので、間隔Ａは、間隔Ｂより大きい。したがって、普通紙を印刷する場合は、ヘッドの下面と印刷面との間隔が大きくなり、ヘッドや印刷用紙が移動するプリンタなどの内部では、空気が浮遊しインク液滴が小さいと、着滴点が一定ではなくなる。なお、印刷用紙が封筒である場合は、厚さが２１０〜２６０μであり、ヘッドと印刷面との間隔は短くなる。
【００４４】
図４は、ヘッドの上下位置が調整される記録装置の場合を示す図である。ヘッドの上下位置は、記録装置によっては、記録用紙の種類に応じて調整されるものがある。また、使用者がヘッドの上下位置を任意の位置に設定できるものもある。
【００４５】
図４（ａ）は、ヘッドが低い位置（ギャップ位置１）に設定された場合を示し、この場合には、普通紙を設置した場合にヘッドの下面と普通紙の印刷面との間隔がＣとなり、図４（ｂ）は、ヘッドが高い位置に（ギャップ位置２）に設定された場合を示し、この場合には、同じ普通紙が選択されるとヘッドの下面と普通紙の印刷面との間隔は、Ｄとなり、間隔Ｄは、間隔Ｃより広くなる。
【００４６】
図５は、図３と同様に普通紙と光沢紙とを対比して示すもので、光沢紙は、コックリングがあまり発生しないが、普通紙はコックリングが発生しやすいため、ヘッドとの間隔を大きくとる必要がある。図５（ａ）は、光沢紙をプラテンの上に設置した状態を示し、ヘッドの下面と印刷面との間隔をＥとし、図５（ｂ）は、普通紙をプラテンの上に設置した状態を示し、普通紙にコックリング発生しない場合のヘッドの下面と印刷面との間隔をＦとした場合を示している。普通紙は、図５（ｂ）に破線で示すように、インクを吸収することなどによりコックリングが発生しやすいので、ヘッドの位置を高い位置に設定する必要がある。
【００４７】
ヘッドの上下位置を調整可能な場合の一例として、ヘッドの下面と、プラテンの上面との距離（ヘッドギャップ）を、記録用紙が光沢紙である場合は、１．１ｍｍ、普通紙である場合は、１．３ｍｍ、封筒である場合は、１．５ｍｍというように設定される。
【００４８】
次に、図６を参照して、液滴サイズを設定する液滴量テーブルについて説明する。この液滴量テーブルは、ＨＤＤの液滴量テーブルメモリ１４ｂに記憶されるものである。また、この実施形態では、いわゆるハーフトーン処理において、小ドット、中ドット、大ドットの三種類の液滴を使用することにより印刷を行うものとし、印刷用紙の種類に応じてそれぞれの液滴のサイズが記憶されている。また、この液滴量テーブルは、解像度毎に記憶され、図６に示す例は、解像度が１２００×１２００ｄｐｉである場合のテーブルである。
【００４９】
このテーブルが示すように、印刷用紙が普通紙の場合は、小ドットは、３ｐｌ、中ドットは、５ｐｌ、大ドットは、１０ｐｌとし、印刷用紙が光沢紙の場合は、小ドットは１．５ｐｌ、中ドットは、３ｐｌ、大ドットは、１０ｐｌとするように記憶されている。このテーブルが示すように、大ドットについては、印刷用紙が普通紙または光沢紙のいずれであっても同じ１０ｐｌとし、中ドットおよび小ドットについては、普通紙を用いる場合には、液滴サイズを、光沢紙を用いる場合に比べて大きく設定している。
【００５０】
次に、図７を参照してプリンタドライバにより行われる処理について説明する。図７は、プリンタドライバにより実行される処理を示すフローチャートである。このプリンタドライバによる処理では、まず、図２に示すプリンタのプロパティ画面を表示し、この画面において使用者が、用紙種類、用紙サイズ、解像度などの設定入力を行う（Ｓ１）。
【００５１】
次に、印刷を行う画像の色変換処理を行う（Ｓ２）。この色変換処理は、入力画像を構成するＲＧＢ（Ｒｅｄ、Ｇｒｅｅｎ、Ｂｌｕｅ）値を、印刷を行うためのＣＭＹＫ（Ｃｙａｎ、Ｍａｇｅｎｔａ、Ｙｅｌｌｏｗ、Ｂｌａｃｋ）値に変換する処理である。なお、色変換処理の前には、選択された用紙種類に最適なプロファイルが選択され、そのプロファイルにより画像データのプロファイル変換などが行われるが、ここでは、詳細な説明を省略する。
【００５２】
次に、Ｓ１の設定入力において設定された用紙種類が、普通紙であるか否かを判断する（Ｓ３）。用紙種類が普通紙に設定されている場合は（Ｓ３：Ｙｅｓ）、図６に示す普通紙に対応する小、中、大の液滴サイズを用いてハーフトーン処理を行う（Ｓ４）。このハーフトーン処理としては、ディザ法や誤差拡散法などの方法が知られており、ＣＭＹＫの各値について、印刷を行う際に各ピクセルで吐出するインクの液滴サイズを、小、中、大、なしのいずれにするかを設定する処理である。
【００５３】
一方、Ｓ３の判断処理において、用紙の種類が普通紙ではなく光沢紙が設定された場合は（Ｓ３：Ｎｏ）、図６に示す光沢紙に対応する小、中、大の液滴サイズを用いてハーフトーン処理を行う（Ｓ５）。
【００５４】
Ｓ４またはＳ５のハーフトーン処理において液滴サイズを設定すると、その設定したデータをプリンタ２０へ出力する（Ｓ６）。
【００５５】
以上、実施形態に基づいて説明したように、プリンタドライバでは、用紙の種類が設定されると、その用紙の種類に応じて液滴のサイズを設定する。よって、普通紙のように用紙の厚さが薄く、またコックリングが発生しやすい場合には、ヘッドとプラテンの上に設置された印刷用紙の表面との距離が大きいので、液滴サイズを比較的大きく設定し、着滴点を一定に保持することができる。また、用紙サイズが、光沢紙である場合には、用紙の厚さが厚く、またコックリングが発生しにくいので、ヘッドとプラテンの上に設置された印刷用紙の表面との距離が短いので、液滴サイズを比較的小さく設定しても、着液点を一定にすることができるとともに、高画質の印刷を行うことができる。
【００５６】
なお、上記実施形態では、プリンタドライバにおける設定について説明したが、プリンタ２０において、直接記録メディアを装着し、その記録メディアに記憶されている画像データを印刷する場合に本発明を適用してもよい。
【００５７】
ヘッドとプラテンとの距離（ヘッドギャップ）を調整することができるプリンタ２０の場合には、用紙の種類、または用紙のサイズの設定に応じてヘッドギャップを調整し、その調整されたヘッドギャップと用紙の種類に応じて、最適な液滴サイズを設定することができる。この場合には、用紙の種類毎に用紙の厚さを記憶し、調整されたヘッドギャップの値から用紙の厚さを引くことによりヘッドと用紙の表面との間隔を算出し、この間隔に対応する液滴サイズを記憶するテーブルを参照することにより液滴サイズを設定する。
【００５８】
なお、請求項に記載の記録媒体種類設定ステップおよび記録媒体種類設定手段は、図７に記載のフローチャートのＳ１の処理が該当し、液滴サイズ設定ステップおよび液滴サイズ設定手段は、図７に記載のフローチャートのＳ４およびＳ５の処理が該当する。
【００５９】
以上実施形態に基づき本発明を説明したが、本発明は上記実施形態に何ら限定されるものでなく、本発明の趣旨を逸脱しない範囲内で種々の改良変形が可能であることは容易に推察できるものである。
【００６０】
例えば、上記実施形態では、用紙サイズは、表示画面において設定するものとしたが、プリンタ２０において、用紙を供給する用紙供給装置を備え、その用紙供給装置において、収納する用紙のサイズに合わせてガイド板などを調整する場合には、そのガイド板の調整位置を検出することにより、用紙の種類（例えば、Ａ４のサイズであれば、普通紙または光沢紙であり、封筒サイズであれば、封筒）を検出するようにしてもよい。
【００６１】
また、上記実施形態では、用紙の種類に応じて液滴のサイズを設定する液滴量テーブルを記憶するものとしたが、用紙の種類に応じて用紙の厚さを記憶する第１のテーブルと、用紙厚に応じて液滴のサイズを設定する第２のテーブルを記憶し、用紙の種類が設定されると、その用紙の厚さを第１のテーブルから読み出し、その読み出した用紙の厚さに対応する液滴のサイズを第２のテーブルから読み出すことにより、液滴サイズを設定するようにしてもよい。
【図面の簡単な説明】
【００６２】
【図１】本発明の実施形態におけるパーソナルコンピュータおよびプリンタの電気的構成を示すブロック図である。
【図２】表示器に表示されるプリンタのプロパティ設定画面を示す画面図である。
【図３】プラテン上に設置された用紙とヘッドとの位置関係を示す図であり、（ａ）は、用紙が普通紙であり、（ｂ）は、用紙が光沢紙である場合を示す概念図である。
【図４】プラテン上に設置された用紙とヘッドとの位置関係を示す図であり、（ａ）は、ヘッドが低い位置に設定された場合であり、（ｂ）は、ヘッドが高い位置に設定された場合を示す概念図である。
【図５】プラテン上に設置された用紙とヘッドとの位置関係を示す図であり、（ａ）は、用紙が光沢紙であり、（ｂ）は、用紙が普通紙である場合を示す概念図である。
【図６】用紙種類に対応した液滴のサイズを記憶する液滴量テーブルである。
【図７】ＰＣにおける処理を示すフローチャートである。
【図８】従来の技術におけるヘッドからインク液滴が記録用紙に吐出される様子を示す模式図である。
【符号の説明】
【００６３】
１０              パーソナルコンピュータ
１１              ＣＰＵ
１２              ＲＯＭ
１３              ＲＡＭ
１４              ハードディスク
１４ｂ            液滴量テーブルメモリ
１４ｃ            プリンタドライバメモリ
２０              プリンタ
【図１】
2007203683.tif 000003
【図２】
2007203683.tif 000004
【図３】
2007203683.tif 000005
【図４】
2007203683.tif 000006
【図５】
2007203683.tif 000007
【図６】
2007203683.tif 000008
【図７】
2007203683.tif 000009
【図８】
2007203683.tif 000010